(57)【要約】【課題】本開示は、ＲｏＦを用いて複数の無線端末を接続する通信ネットワークにおいて、回り込み無線信号又は回り込み光ファイバ無線信号による信号品質の劣化を防止することを目的とする。【解決手段】本開示に係る光無線変換機は、他の光無線変換機と光ファイバ伝送路で接続されている光無線変換機であって、無線端末と無線信号を送受信するアンテナ部と、アンテナ部の受信した無線信号を光ファイバ無線信号に変換して光ファイバ伝送路に出力し、光ファイバ伝送路で伝送された光ファイバ無線信号を無線信号に変換してアンテナ部に出力する光無線変換部と、光無線変換部からアンテナ部に出力される無線信号を分岐し、当該無線信号がアンテナ部で受信された回り込み無線信号を抑圧する第１の抑圧信号を、当該分岐した無線信号を用いて生成し、回り込み無線信号に第１の抑圧信号を合成する、第１の回り込み信号抑圧回路と、を備える。【選択図】図５
2019153945.tif 000002
【特許請求の範囲】
【請求項１】
他の光無線変換機と光ファイバ伝送路で接続されている光無線変換機であって、
無線端末と無線信号を送受信するアンテナ部と、
前記アンテナ部の受信した無線信号を光ファイバ無線信号に変換して前記光ファイバ伝送路に出力し、前記光ファイバ伝送路で伝送された光ファイバ無線信号を無線信号に変換して前記アンテナ部に出力する光無線変換部と、
前記光無線変換部から前記アンテナ部に出力される無線信号を分岐し、当該無線信号が前記アンテナ部で受信された回り込み無線信号を抑圧する第１の抑圧信号を、当該分岐した無線信号を用いて生成し、前記回り込み無線信号に前記第１の抑圧信号を合成する、第１の回り込み信号抑圧回路と、
を備える光無線変換機。
【請求項２】
他の光無線変換機と光ファイバ伝送路で接続されている光無線変換機であって、
無線端末と無線信号を送受信するアンテナ部と、
前記アンテナ部の受信した無線信号を光ファイバ無線信号に変換して前記光ファイバ伝送路に出力し、前記光ファイバ伝送路で伝送された光ファイバ無線信号を無線信号に変換して前記アンテナ部に出力する光無線変換部と、
前記アンテナ部から前記光無線変換部に出力される無線信号を分岐し、当該無線信号が前記他の光無線変換機に備わるアンテナ部で受信された回り込み光ファイバ無線信号を抑圧する第２の抑圧信号を、当該分岐した無線信号を用いて生成し、前記回り込み光ファイバ無線信号に前記第２の抑圧信号を合成する、第２の回り込み信号抑圧回路と、
を備える光無線変換機。
【請求項３】
他の光無線変換機と光ファイバ伝送路で接続されている光無線変換機であって、
無線端末と無線信号を送受信するアンテナ部と、
前記アンテナ部の受信した無線信号を光ファイバ無線信号に変換して前記光ファイバ伝送路に出力し、前記光ファイバ伝送路で伝送された光ファイバ無線信号を無線信号に変換して前記アンテナ部に出力する光無線変換部と、
前記光無線変換部から前記アンテナ部に出力される無線信号を分岐し、当該無線信号が前記アンテナ部で受信された回り込み無線信号を抑圧する第１の抑圧信号を、当該分岐した無線信号を用いて生成し、前記回り込み無線信号に前記第１の抑圧信号を合成する、第１の回り込み信号抑圧回路と、
前記アンテナ部から前記光無線変換部に出力される無線信号を分岐し、当該無線信号が前記他の光無線変換機に備わるアンテナ部で受信された回り込み光ファイバ無線信号を抑圧する第２の抑圧信号を、当該分岐した無線信号を用いて生成し、前記回り込み光ファイバ無線信号に前記第２の抑圧信号を合成する、第２の回り込み信号抑圧回路と、
を備える光無線変換機。
【請求項４】
無線信号と光ファイバ無線信号とを互いに変換する複数の光無線変換機が光ファイバ伝送路で接続された通信ネットワークの前記光ファイバ伝送路に配置される回り込み信号除去機であって、
前記光ファイバ伝送路に備わる第１の光ファイバで伝送された光ファイバ無線信号を無線信号に変換し、第２の信号変換部で変換された無線信号を光ファイバ無線信号に変換して前記第１の光ファイバに出力する第１の信号変換部と、
前記光ファイバ伝送路に備わる第２の光ファイバで伝送された光ファイバ無線信号を無線信号に変換し、前記第１の信号変換部で変換された無線信号を光ファイバ無線信号に変換して前記第２の光ファイバに出力する第２の信号変換部と、
前記第１の信号変換部で変換された無線信号を分岐し、当該無線信号が前記第２の光ファイバに接続されている光無線変換機に備わるアンテナ部で受信された第１の回り込み光ファイバ無線信号を抑圧する第３の抑圧信号を、当該分岐した無線信号を用いて生成し、前記第１の回り込み光ファイバ無線信号に前記第３の抑圧信号を合成し、前記第２の信号変換部で変換された無線信号を分岐し、当該無線信号が前記第１の光ファイバに接続されている光無線変換機に備わるアンテナ部で受信された第２の回り込み光ファイバ無線信号を抑圧する第４の抑圧信号を、当該分岐した無線信号を用いて生成し、前記第２の回り込み光ファイバ無線信号に前記第４の抑圧信号を合成する双方向回り込み信号抑圧回路と、
を備える回り込み信号除去機。
【請求項５】
無線信号と光ファイバ無線信号とを互いに変換する複数の光無線変換機が光ファイバ伝送路で接続された通信ネットワークであって、
前記複数の光無線変換機の少なくとも一つに、請求項１から３のいずれかに記載の光無線変換機が用いられている、
通信ネットワーク。
【請求項６】
無線信号と光ファイバ無線信号とを互いに変換する複数の光無線変換機が光ファイバ伝送路で接続された通信ネットワークであって、
前記光ファイバ伝送路に請求項４に記載の回り込み信号除去機が配置されている、
通信ネットワーク。
【請求項７】
無線信号と光ファイバ無線信号とを互いに変換する複数の光無線変換機が光ファイバ伝送路で接続された通信ネットワークが実行する回り込み信号除去方法であって、
前記光無線変換機は、
無線端末と無線信号を送受信するアンテナ部と、
前記アンテナ部の受信した無線信号を光ファイバ無線信号に変換して前記光ファイバ伝送路に出力し、前記光ファイバ伝送路で伝送された光ファイバ無線信号を無線信号に変換して前記アンテナ部に出力する光無線変換部と、
を備え、
第１の回り込み信号抑圧回路が、前記光無線変換部から前記アンテナ部に出力される無線信号を分岐し、当該無線信号が前記アンテナ部で受信された回り込み無線信号を抑圧する第１の抑圧信号を、当該分岐した無線信号を用いて生成し、前記回り込み無線信号に前記第１の抑圧信号を合成する、第１の回り込み信号抑圧手順、或いは、
第２の回り込み信号抑圧回路が、前記アンテナ部から前記光無線変換部に出力される無線信号を分岐し、当該無線信号が前記他の光無線変換機に備わるアンテナ部で受信された回り込み光ファイバ無線信号を抑圧する第２の抑圧信号を、当該分岐した無線信号を用いて生成し、前記回り込み光ファイバ無線信号に前記第２の抑圧信号を合成する、第２の回り込み信号抑圧手順、
を有する、回り込み信号除去方法。
【請求項８】
無線信号と光ファイバ無線信号とを互いに変換する複数の光無線変換機が光ファイバ伝送路で接続された通信ネットワークが実行する回り込み信号除去方法であって、
前記通信ネットワークは、
前記光ファイバ伝送路に備わる第１の光ファイバで伝送された光ファイバ無線信号を無線信号に変換し、第２の信号変換部で変換された無線信号を光ファイバ無線信号に変換して前記第１の光ファイバに出力する第１の信号変換部と、
前記光ファイバ伝送路に備わる第２の光ファイバで伝送された光ファイバ無線信号を無線信号に変換し、前記第１の信号変換部で変換された無線信号を光ファイバ無線信号に変換して前記第２の光ファイバに出力する第２の信号変換部と、
を備え、
双方向回り込み信号抑圧回路が、前記第１の信号変換部で変換された無線信号を分岐し、当該無線信号が前記第２の光ファイバに接続されている光無線変換機に備わるアンテナ部で受信された第１の回り込み光ファイバ無線信号を抑圧する第３の抑圧信号を、当該分岐した無線信号を用いて生成し、前記第１の回り込み光ファイバ無線信号に前記第３の抑圧信号を合成する手順、或いは、
双方向回り込み信号抑圧回路が、前記第２の信号変換部で変換された無線信号を分岐し、当該無線信号が前記第１の光ファイバに接続されている光無線変換機に備わるアンテナ部で受信された第２の回り込み光ファイバ無線信号を抑圧する第４の抑圧信号を、当該分岐した無線信号を用いて生成し、前記第２の回り込み光ファイバ無線信号に前記第４の抑圧信号を合成する双方向回り込み信号抑圧手順、
を有する、回り込み信号除去方法。
【発明の詳細な説明】
【技術分野】
【０００１】
本開示は、無線通信において無線伝搬距離範囲外の無線端末同士が通信を行うことを可能とするための、通信装置および通信ネットワークに関する。
【背景技術】
【０００２】
無線端末は、他の無線端末と無線により通信を行う際、通信に用いる無線方式の無線信号が到達可能な無線伝搬距離範囲内に無線端末同士が存在する場合に限り、無線通信を確立することが可能である（例えば、非特許文献１を参照）。
【０００３】
無線端末同士が無線伝搬距離範囲外に存在する場合、それぞれの無線端末は、それぞれの無線伝搬距離範囲内に設置された無線親機に接続し、無線親機同士はネットワークスイッチやネットワークルータ等によって構成された中継ネットワークを介して対向の無線親機に接続する構成とすることにより、通信を確立することが可能となる。もしくは、それぞれの無線端末が、それぞれの無線伝搬距離範囲内に設置された無線中継機に接続し、無線中継機同士が無線通信を確立することにより、無線端末同士の通信を確立することも可能である。
【０００４】
図１は、無線端末が中継ネットワークを介して接続される形態の一例である。
図１に示す通信ネットワークは、無線端末１１１、１１２と、無線親機１２１、１２２と、中継ネットワーク１５１により構成される。無線親機１２１は、アンテナ部１３１と伝送機能部１４１により構成される。無線親機１２２は、アンテナ部１３２と伝送機能部１４２により構成される。
【０００５】
このとき、無線端末１１１は無線親機１２１のアンテナ部１３１と無線接続され、無線親機１２１は伝送機能部１４１から中継ネットワーク１５１を介して伝送機能部１４２により無線親機１２２に接続され、無線親機１２２のアンテナ部１３２は無線端末１１２と無線接続される。また、中継ネットワーク１５１は、一般的に複数のネットワークスイッチやネットワークルータを用いて構成する。
【０００６】
図２は、無線端末が無線中継機を介して接続される形態の一例である。
図２に示す通信ネットワークは、無線端末２１１、２１２と、無線中継機２２１、２２２、２２３により構成される。無線中継機２２１は、アンテナ部２３１、２３２と伝送機能部２４１により構成される。無線中継機２２２は、アンテナ部２３３、２３４と伝送機能部２４２により構成される。無線中継機２２３は、アンテナ部２３５、２３６と伝送機能部２４３により構成される。
【０００７】
このとき、無線端末２１１は無線中継機２２１のアンテナ部２３１と無線接続され、無線中継機２２１と２２２はそれぞれを構成するアンテナ部２３２と２３３同士で無線接続され、無線中継機２２２と２２３はそれぞれを構成するアンテナ部２３４と２３５同士で無線接続され、無線中継機２２３のアンテナ部２３６は無線端末２１２と無線接続される。無線中継機２２１を構成するアンテナ部２３１、２３２は、伝送機能部２４１を介して接続され、無線中継機２２２を構成するアンテナ部２３３、２３４は、伝送機能部２４２を介して接続され、無線中継機２２３を構成するアンテナ部２３５、２３６は、伝送機能部２４３を介して接続される。
【０００８】
図２では無線中継機を３台接続した場合の例を示しているが、無線中継機が３台の構成に限らず、無線中継機が１台の構成においても、２台以上の複数台の構成においても、いずれの場合でも通信を確立することが可能であり、無線中継機の台数が多くなるほど遠距離の無線端末の通信を行うことが可能となる。
【０００９】
しかしながら、図１のような無線端末が中継ネットワークを介して接続される形態では、中継ネットワークを構成するために複数のネットワークスイッチやネットワークルータが必要となりネットワーク構成が複雑化する。
【００１０】
図２のような無線端末が無線中継機を介して接続される形態では、無線端末同士の距離が遠距離となる場合、複数の無線中継機を介して通信を確立する必要があり、構成が複雑化する。複雑化を避けるため少数の無線中継機により構成した場合、無線端末同士の通信距離に制限が生じることとなる。
【００１１】
さらに、中継ネットワークを構成する機器や無線中継機は、設定、制御および保守を行う必要があるため、機器管理のための仕組みを別途構成しなければならない。このとき、簡易に無線信号を長距離伝送するための手段として、低損失、交代粋な光ファイバ伝送路を介して無線信号を送受信するＲｏＦ（Ｒａｄｉｏ  ｏｖｅｒ  Ｆｉｂｅｒ）技術がある（例えば、非特許文献２を参照）。
【００１２】
図３は、無線端末がＲｏＦ技術を用いて接続される形態の一例である。
図３に示す通信ネットワークは、無線端末３１１、３１２と、光無線変換機３２１、３２２と、光ファイバ伝送路３６１により構成される。光無線変換機３２１は、送信アンテナ３３１および受信アンテナ３３２により構成されるアンテナ部３４１と、光無線変換部３５１により構成される。光無線変換機３２２は、送信アンテナ３３３および受信アンテナ３３４により構成されるアンテナ部３４２と、光無線変換部３５２により構成される。
【００１３】
このとき、無線端末３１１は光無線変換機３２１のアンテナ部３４１と無線接続され、光無線変換機３２１は光無線変換部３５１から光ファイバ伝送路３６１を介して光無線変換部３５２により光無線変換機３２２に接続され、光無線変換機３２２のアンテナ部３４２は無線端末３１２と無線接続される。
【００１４】
前記通信ネットワークの構成では、光無線変換機３２１および３２２は、それぞれ無線端末３１１および３１２より送信された無線信号を、光信号が無線信号で変調された光ファイバ無線信号に直接変換することが可能である。また、光無線変換機３２１および３２２は、中継ネットワークに接続するための伝送機能部が不要となる。
【００１５】
これにより、中継ネットワークで用いられるネットワークスイッチやネットワークルータを介することなく、光ファイバ伝送路のみを用いて直接接続することができ、光無線変換機自体の構成も簡易なものとすることが可能である。
【先行技術文献】
【非特許文献】
【００１６】
【非特許文献１】電子情報通信学会  知識ベース  知識の森（ｈｔｔｐ：／／ｗｗｗ．ｉｅｉｃｅ−ｈｂｋｂ．ｏｒｇ／ｐｏｒｔａｌ／）、４群  モバイル・無線、１編  無線通信基礎、２章  無線伝搬路／９章  無線回線の設計・基準Ｖｅｒ．１  ２０１０．１１．９
【非特許文献２】Ｈｉｒｏｙｏ  Ｏｇａｗａ，  “Ｍｉｃｒｏｗａｖｅ  ａｎｄ  Ｍｉｌｌｉｍｅｔｅｒ−Ｗａｖｅ  Ｆｉｂｅｒ  Ｏｐｔｉｃ  Ｔｅｃｈｎｏｌｏｇｉｅｓ  ｆｏｒ  Ｓｕｂｃａｒｒｉｅｒ  Ｔｒａｎｓｍｉｓｓｉｏｎ  Ｓｙｓｔｅｍｓ，  ”ＩＥＩＣＥ  Ｔｒａｎｓａｃｔｉｏｎｓ  ｏｎ  Ｃｏｍｍｕｎｉｃａｔｉｏｎｓ，  Ｖｏｌ．Ｅ７６−Ｂ，  Ｎｏ．９，  ｐｐ．１０７８−１０９０，  Ｓｅｐｔｅｍｂｅｒ  １９９３．
【発明の概要】
【発明が解決しようとする課題】
【００１７】
しかしながら、図３のような通信ネットワークの形態では、図４に示すような課題が生じる。
【００１８】
図４においては、無線端末３１１から送信された無線信号４１１は、受信アンテナ３３２により受信され、光無線変換部３５１により光ファイバ無線信号４１２となって光ファイバ伝送路３６１内を伝送される。光ファイバ無線信号４１２は、光無線変換部３５２により無線信号４１３となって送信アンテナ３３３より無線端末３１２へ送信されるが、無線信号４１３は受信アンテナ３３４により受信され、光無線変換部３５２により回り込み光ファイバ無線信号４１４となって光ファイバ伝送路３６１内を伝送される。回り込み光ファイバ無線信号４１４は、光無線変換部３５１により回り込み無線信号４１５となって送信アンテナ３３１より無線端末３１１へ送信される。
【００１９】
無線端末３１２から送信された無線信号４２１は、受信アンテナ３３４により受信され、光無線変換部３５２により光ファイバ無線信号４２２となって光ファイバ伝送路３６１内を伝送される。光ファイバ無線信号４２２は、光無線変換部３５１により無線信号４２３となって送信アンテナ３３１より無線端末３１１へ送信されるが、無線信号４２３は受信アンテナ３３２により受信され、光無線変換部３５１により回り込み光ファイバ無線信号４２４となって光ファイバ伝送路３６１内を伝送される。回り込み光ファイバ無線信号４２４は、光無線変換部３５２により回り込み無線信号４２５となって送信アンテナ３３３より無線端末３１２へ送信される。
【００２０】
無線端末３１２では、無線端末３１１から送信された無線信号４１３に加え、無線端末３１２から送信された回り込み無線信号４２５が受信される。無線端末３１１では、無線端末３１２から送信された無線信号４２３に加え、無線端末３１１から送信された回り込み無線信号４１５が受信される。これにより、それぞれの所望の無線信号４１３と４２３が受信されると同時に、不要な無線信号４２５と４１５が受信されることとなり、信号品質が劣化する。信号品質が劣化すると、無線伝搬範囲が小さくなる、伝送帯域が小さくなるといった不都合が生じ、最悪の場合通信を確立することが不可能となる。
【００２１】
そこで、本開示は、ＲｏＦを用いて複数の無線端末を接続する通信ネットワークにおいて、回り込み無線信号又は回り込み光ファイバ無線信号による信号品質の劣化を防止することを目的とする。
【課題を解決するための手段】
【００２２】
本開示は、ＲｏＦを用いて複数の無線端末を接続する通信ネットワークにおいて、回り込み無線信号又は回り込み光ファイバ無線信号を抑圧する回路又は装置を設けることとした。
【００２３】
本開示に係る光無線変換機は、
他の光無線変換機と光ファイバ伝送路で接続されている光無線変換機であって、
無線端末と無線信号を送受信するアンテナ部と、
前記アンテナ部の受信した無線信号を光ファイバ無線信号に変換して前記光ファイバ伝送路に出力し、前記光ファイバ伝送路で伝送された光ファイバ無線信号を無線信号に変換して前記アンテナ部に出力する光無線変換部と、
前記光無線変換部から前記アンテナ部に出力される無線信号を分岐し、当該無線信号が前記アンテナ部で受信された回り込み無線信号を抑圧する第１の抑圧信号を、当該分岐した無線信号を用いて生成し、前記回り込み無線信号に前記第１の抑圧信号を合成する、第１の回り込み信号抑圧回路と、
を備える。
【００２４】
本開示に係る光無線変換機は、
他の光無線変換機と光ファイバ伝送路で接続されている光無線変換機であって、
無線端末と無線信号を送受信するアンテナ部と、
前記アンテナ部の受信した無線信号を光ファイバ無線信号に変換して前記光ファイバ伝送路に出力し、前記光ファイバ伝送路で伝送された光ファイバ無線信号を無線信号に変換して前記アンテナ部に出力する光無線変換部と、
前記アンテナ部から前記光無線変換部に出力される無線信号を分岐し、当該無線信号が前記他の光無線変換機に備わるアンテナ部で受信された回り込み光ファイバ無線信号を抑圧する第２の抑圧信号を、当該分岐した無線信号を用いて生成し、前記回り込み光ファイバ無線信号に前記第２の抑圧信号を合成する、第２の回り込み信号抑圧回路と、
を備える。
【００２５】
本開示に係る光無線変換機は、
他の光無線変換機と光ファイバ伝送路で接続されている光無線変換機であって、
無線端末と無線信号を送受信するアンテナ部と、
前記アンテナ部の受信した無線信号を光ファイバ無線信号に変換して前記光ファイバ伝送路に出力し、前記光ファイバ伝送路で伝送された光ファイバ無線信号を無線信号に変換して前記アンテナ部に出力する光無線変換部と、
前記光無線変換部から前記アンテナ部に出力される無線信号を分岐し、当該無線信号が前記アンテナ部で受信された回り込み無線信号を抑圧する第１の抑圧信号を、当該分岐した無線信号を用いて生成し、前記回り込み無線信号に前記第１の抑圧信号を合成する、第１の回り込み信号抑圧回路と、
前記アンテナ部から前記光無線変換部に出力される無線信号を分岐し、当該無線信号が前記他の光無線変換機に備わるアンテナ部で受信された回り込み光ファイバ無線信号を抑圧する第２の抑圧信号を、当該分岐した無線信号を用いて生成し、前記回り込み光ファイバ無線信号に前記第２の抑圧信号を合成する、第２の回り込み信号抑圧回路と、
を備える。
【００２６】
本開示に係る回り込み信号除去機は、
無線信号と光ファイバ無線信号とを互いに変換する複数の光無線変換機が光ファイバ伝送路で接続された通信ネットワークの前記光ファイバ伝送路に配置される回り込み信号除去機であって、
前記光ファイバ伝送路に備わる第１の光ファイバで伝送された光ファイバ無線信号を無線信号に変換し、第２の信号変換部で変換された無線信号を光ファイバ無線信号に変換して前記第１の光ファイバに出力する第１の信号変換部と、
前記光ファイバ伝送路に備わる第２の光ファイバで伝送された光ファイバ無線信号を無線信号に変換し、前記第１の信号変換部で変換された無線信号を光ファイバ無線信号に変換して前記第２の光ファイバに出力する第２の信号変換部と、
前記第１の信号変換部で変換された無線信号を分岐し、当該無線信号が前記第２の光ファイバに接続されている光無線変換機に備わるアンテナ部で受信された第１の回り込み光ファイバ無線信号を抑圧する第３の抑圧信号を、当該分岐した無線信号を用いて生成し、前記第１の回り込み光ファイバ無線信号に前記第３の抑圧信号を合成し、前記第２の信号変換部で変換された無線信号を分岐し、当該無線信号が前記第１の光ファイバに接続されている光無線変換機に備わるアンテナ部で受信された第２の回り込み光ファイバ無線信号を抑圧する第４の抑圧信号を、当該分岐した無線信号を用いて生成し、前記第２の回り込み光ファイバ無線信号に前記第４の抑圧信号を合成する双方向回り込み信号抑圧回路と、
を備える。
【００２７】
本開示に係る通信ネットワークは、
無線信号と光ファイバ無線信号とを互いに変換する複数の光無線変換機が光ファイバ伝送路で接続された通信ネットワークであって、
前記複数の光無線変換機の少なくとも一つに、本開示に係る光無線変換機が用いられている。
【００２８】
本開示に係る通信ネットワークは、
無線信号と光ファイバ無線信号とを互いに変換する複数の光無線変換機が光ファイバ伝送路で接続された通信ネットワークであって、
前記光ファイバ伝送路に本開示に係る回り込み信号除去機が配置されている。
【００２９】
本開示に係る回り込み信号除去方法は、
無線信号と光ファイバ無線信号とを互いに変換する複数の光無線変換機が光ファイバ伝送路で接続された通信ネットワークが実行する回り込み信号除去方法であって、
前記光無線変換機は、
無線端末と無線信号を送受信するアンテナ部と、
前記アンテナ部の受信した無線信号を光ファイバ無線信号に変換して前記光ファイバ伝送路に出力し、前記光ファイバ伝送路で伝送された光ファイバ無線信号を無線信号に変換して前記アンテナ部に出力する光無線変換部と、
を備え、
第１の回り込み信号抑圧回路が、前記光無線変換部から前記アンテナ部に出力される無線信号を分岐し、当該無線信号が前記アンテナ部で受信された回り込み無線信号を抑圧する第１の抑圧信号を、当該分岐した無線信号を用いて生成し、前記回り込み無線信号に前記第１の抑圧信号を合成する、第１の回り込み信号抑圧手順、或いは、
第２の回り込み信号抑圧回路が、前記アンテナ部から前記光無線変換部に出力される無線信号を分岐し、当該無線信号が前記他の光無線変換機に備わるアンテナ部で受信された回り込み光ファイバ無線信号を抑圧する第２の抑圧信号を、当該分岐した無線信号を用いて生成し、前記回り込み光ファイバ無線信号に前記第２の抑圧信号を合成する、第２の回り込み信号抑圧手順、
を有する。
【００３０】
本開示に係る回り込み信号除去方法は、
無線信号と光ファイバ無線信号とを互いに変換する複数の光無線変換機が光ファイバ伝送路で接続された通信ネットワークが実行する回り込み信号除去方法であって、
前記通信ネットワークは、
前記光ファイバ伝送路に備わる第１の光ファイバで伝送された光ファイバ無線信号を無線信号に変換し、第２の信号変換部で変換された無線信号を光ファイバ無線信号に変換して前記第１の光ファイバに出力する第１の信号変換部と、
前記光ファイバ伝送路に備わる第２の光ファイバで伝送された光ファイバ無線信号を無線信号に変換し、前記第１の信号変換部で変換された無線信号を光ファイバ無線信号に変換して前記第２の光ファイバに出力する第２の信号変換部と、
を備え、
双方向回り込み信号抑圧回路が、前記第１の信号変換部で変換された無線信号を分岐し、当該無線信号が前記第２の光ファイバに接続されている光無線変換機に備わるアンテナ部で受信された第１の回り込み光ファイバ無線信号を抑圧する第３の抑圧信号を、当該分岐した無線信号を用いて生成し、前記第１の回り込み光ファイバ無線信号に前記第３の抑圧信号を合成する手順、或いは、
双方向回り込み信号抑圧回路が、前記第２の信号変換部で変換された無線信号を分岐し、当該無線信号が前記第１の光ファイバに接続されている光無線変換機に備わるアンテナ部で受信された第２の回り込み光ファイバ無線信号を抑圧する第４の抑圧信号を、当該分岐した無線信号を用いて生成し、前記第２の回り込み光ファイバ無線信号に前記第４の抑圧信号を合成する双方向回り込み信号抑圧手順、
を有する。
【００３１】
なお、上記各開示は、可能な限り組み合わせることができる。
【発明の効果】
【００３２】
本開示は、無線伝搬距離範囲外の無線端末同士が通信を行う場合において、複雑な中継ネットワークや複数の無線中継機を用いることなく、通信を確立することができるための通信機および通信ネットワークを提供することができる。
【図面の簡単な説明】
【００３３】
【図１】無線端末が中継ネットワークを介して接続される形態の一例である。
【図２】無線端末が無線中継機を介して接続される形態の一例である。
【図３】無線端末がＲｏＦ技術を用いて接続される形態の一例である。
【図４】図３のような通信ネットワークの形態で生じる課題の一例である。
【図５】本開示における通信ネットワークの第一の例を示す図である。
【図６】キャンセル回路の第１の構成例を示す。
【図７】キャンセル回路の第２の構成例を示す。
【図８】図５に示す通信ネットワークにおける信号の伝搬および伝送について示す第１の説明図である。
【図９】図５に示す通信ネットワークにおける信号の伝搬および伝送について示す第２の説明図である。
【図１０】本開示における通信ネットワークの第二の例を示す図である。
【図１１】図１０に示す通信ネットワークにおける信号の伝搬および伝送について示す説明図である。
【図１２】本開示における通信ネットワークの第三の例を示す図である。
【図１３】本開示における通信ネットワークの第四の例を示す図である。
【図１４】本開示における通信ネットワークの第五の例を示す図である。
【図１５】本開示における通信ネットワークの第六の例を示す図である。
【図１６】本開示における通信ネットワークの第七の例を示す図である。
【図１７】本開示における通信ネットワークの第八の例を示す図である。
【図１８】本開示における通信ネットワークの第九の例を示す図である。
【発明を実施するための形態】
【００３４】
以下、本開示の実施形態について、図面を参照しながら詳細に説明する。なお、本開示は、以下に示す実施形態に限定されるものではない。これらの実施の例は例示に過ぎず、本開示は当業者の知識に基づいて種々の変更、改良を施した形態で実施することができる。なお、本明細書及び図面において符号が同じ構成要素は、相互に同一のものを示すものとする。
【００３５】
（第一の実施形態）
図５は、図４に示す課題を解決するための、本開示における通信ネットワークの第一の例を示す図である。
【００３６】
図５に示す通信ネットワークは、無線端末５１１、５１２と、光無線変換機５２１、５２２と、光ファイバ伝送路５７１により構成される。光無線変換機５２１は、送信アンテナ５３１および受信アンテナ５３２により構成されるアンテナ部５４１と、キャンセル回路５５１と、光無線変換部５６１により構成される。光無線変換機５２２は、送信アンテナ５３３および受信アンテナ５３４により構成されるアンテナ部５４２と、キャンセル回路５５２と、光無線変換部５６２により構成される。
【００３７】
このとき、無線端末５１１は光無線変換機５２１のアンテナ部５４１と無線接続され、光無線変換機５２１は光無線変換部５６１から光ファイバ伝送路５７１を介して光無線変換部５６２により光無線変換機５２２に接続され、光無線変換機５２２のアンテナ部５４２は無線端末５１２と無線接続される。
【００３８】
光無線変換部５６１および５６２は、無線信号と光ファイバ無線信号とを互いに変換する機能を有する。例えば、光無線変換部５６１は、受信アンテナ５３２の受信した無線信号を光ファイバ無線信号に変換し、光ファイバ伝送路５７１に出力する。また、光無線変換部５６１は、光ファイバ伝送路５７１で伝送された光ファイバ無線信号を無線信号に変換し、アンテナ部５４１に出力する。これにより、本開示の光無線変換機５２１及び５２２は、無線信号をＲｏＦ伝送する。
【００３９】
光無線変換部５６１および５６２は、受信アンテナ５３２及び５３４の受信した無線信号で光ファイバ無線信号を変調し、光ファイバ無線信号を変調している無線信号を取り出す、任意の構成を採用しうる。光無線変換部５６１および５６２は、例えばレーザダイオードを用いた光送信器と、フォトディテクタを用いた光受信器を組み合わせて構成することができる。また、通信品質を向上させるため、光外部変調器、無線信号を所望の強度に増幅する信号増幅器、無線信号の所望の帯域を抽出するバンドパスフィルタのうち一部もしくは全部を用いる構成としてもよい。
【００４０】
キャンセル回路５５１は、光無線変換機５２１内部においてアンテナ部５４１と光無線変換部５６１に接続される。キャンセル回路５５２は、光無線変換機５２２内部においてアンテナ部５４２と光無線変換部５６２に接続される。キャンセル回路５５１、５５２は、本開示に係る回り込み信号抑圧回路として機能し、例えば図６または図７のような構成とすることが可能である。
【００４１】
図６に示すキャンセル回路は、分岐器６１１、遅延器６２１、減衰器６３１、合成器６４１により構成される。キャンセル回路へは、無線信号６５１、６６１および無線信号６５１の回り込み無線信号６５４が入力され、無線信号６５２、６６２はキャンセル回路から出力される。
【００４２】
キャンセル回路へ入力された無線信号６５１は、分岐器６１１により無線信号６５２、６５３に分岐され、無線信号６５２はキャンセル回路から出力される。無線信号６５３は遅延器６２１および減衰器６３１で回り込み無線信号６５４の逆位相の信号となるよう所望の遅延と減衰を与えられ、抑圧信号となる。抑圧信号となった無線信号６５３は、キャンセル回路へ入力された無線信号６６１および回り込み無線信号６５４と合成器６４１により合成される。無線信号６５３と回り込み無線信号６５４は遅延器６２１および減衰器６３１により同じ強度で逆位相の関係となるよう制御されているため、合成器６４１により合成されるとお互いに打ち消し合い、結果として無線信号６６１がそのまま無線信号６６２として出力される。
【００４３】
なお、抑圧信号の生成方法は遅延器及び減衰器を用いた方法に限定されず、無線信号６５３を用いて回り込み無線信号６５４と同じ強度で逆位相の信号が生成可能な任意の方法を採用することができる。また、抑圧信号の信号強度は、回り込み無線信号６５４と同一に限らず、回り込み無線信号６５４が抑圧可能な任意の強度でありうる。
【００４４】
このとき、図７に示すように、複数の遅延器および減衰器を用いることで、例えば送信アンテナから出力された無線信号が直接受信アンテナで受信された回り込み無線信号以外に、壁や障害物等で反射されて受信アンテナで受信されるような、マルチパス環境における回り込み無線信号を除去することも可能である。
【００４５】
図８および図９は、図５に示す通信ネットワークにおける信号の伝搬および伝送について示したものである。図８はキャンセル回路５５１及び５５２が本開示に係る第１の回り込み信号抑圧回路として機能する場合を示し、図９はキャンセル回路５５１及び５５２が本開示に係る第２の回り込み信号抑圧回路として機能する場合を示す。
【００４６】
図８においては、無線端末５１１から送信された無線信号８１１は、受信アンテナ５３２により受信され、光無線変換部５６１により光ファイバ無線信号８１２となって光ファイバ伝送路５７１内を伝送される。光ファイバ無線信号８１２は、光無線変換部５６２により無線信号８１３となって送信アンテナ５３３より無線端末５１２へ送信されるが、無線信号８１３は受信アンテナ５３４により受信され、回り込み無線信号８１４となってキャンセル回路５５２へ伝搬される。このとき、回り込み無線信号８１４は、図６または図７のような構成により、無線信号８１３を用いて除去される。無線端末５１２から送信された無線信号８２１は、受信アンテナ５３４により受信され、光無線変換部５６２により光ファイバ無線信号８２２となって光ファイバ伝送路５７１内を伝送される。光ファイバ無線信号８２２は、光無線変換部５６１により無線信号８２３となって送信アンテナ５３１より無線端末５１１へ送信されるが、無線信号８２３は受信アンテナ５３２により受信され、回り込み無線信号８２４となってキャンセル回路５５１へ伝搬される。このとき、回り込み無線信号８２４は、図６または図７のような構成により、無線信号８２３を用いて除去される。
【００４７】
図９においては、無線端末５１１から送信された無線信号９１１は、受信アンテナ５３２により受信され、光無線変換部５６１により光ファイバ無線信号９１２となって光ファイバ伝送路５７１内を伝送される。光ファイバ無線信号９１２は、光無線変換部５６２により無線信号９１３となって送信アンテナ５３３より無線端末５１２へ送信されるが、無線信号９１３は受信アンテナ５３４により受信され、光無線変換部５６２により回り込み光ファイバ無線信号９１４となって光ファイバ伝送路５７１内を伝送される。回り込み光ファイバ無線信号９１４は光無線変換部５６１により回り込み光ファイバ無線信号９１５となってキャンセル回路５５１へ伝搬され、回り込み光ファイバ無線信号９１５は、図６または図７のような構成により、無線信号９１１を用いて除去される。無線端末５１２から送信された無線信号９２１は、受信アンテナ５３４により受信され、光無線変換部５６２により光ファイバ無線信号９２２となって光ファイバ伝送路５７１内を伝送される。光ファイバ無線信号９２２は、光無線変換部５６１により無線信号９２３となって送信アンテナ５３１より無線端末５１１へ送信されるが、無線信号９２３は受信アンテナ５３２により受信され、光無線変換部５６１により回り込み光ファイバ無線信号９２４となって光ファイバ伝送路５７１内を伝送される。回り込み光ファイバ無線信号９２４は光無線変換部５６２により回り込み無線信号９２５となってキャンセル回路５５２へ伝搬され、回り込み無線信号９２５は、図６または図７のような構成により、無線信号９２１を用いて除去される。
【００４８】
ここで、図８の形態での遅延量及び減衰量は光無線変換機の設計や特性に従って定めることができる。また、図９での遅延量及び減衰量は光ファイバ伝送路５７１及び光ファイバ伝送路５７１で接続されている光無線変換機の設計及び特性に従って定めることができる。例えば、光ファイバ伝送路５７１の長さが予め定められている場合、無線信号の到着から予め定められた時間を経過した後に、回り込み光ファイバ無線信号がキャンセル回路に到着する。このため、遅延器の遅延量を回り込み光ファイバ無線信号が到着する時間に設定しておくことで、回り込み光ファイバ無線信号を抑圧することができる。
【００４９】
このとき、図８の形態でも図９の形態でも回り込み無線信号及び回り込み光ファイバ無線信号を除去することが可能であるが、図８の形態とした場合、図９の形態と比較しキャンセル回路を通過する無線信号と回り込み無線信号の時間差が小さいため、キャンセル回路に用いる遅延器が必要とする遅延量を小さく抑えることが可能である。
【００５０】
このような、図６または図７のような構成のキャンセル回路を用いた図５に示す通信ネットワークによって、図８または図９のように不要な無線信号を除去することが可能となり、図４に示すような信号品質が劣化を回避し、無線伝搬範囲が小さくなる、伝送帯域が小さくなるといった不都合を解決することが可能となる。さらに、キャンセル回路によって無線信号を同時に送受信することができるようになるため、一般的に時分割多重により半二重通信を行っていた無線通信を、全二重通信に拡張することも可能となる。
【００５１】
（第二の実施形態）
図１０は、本開示における通信ネットワークの第二の例を示す図である。
図１０に示す通信ネットワークは、無線端末１０１１、１０１２と、光無線変換機１０２１、１０２２と、光ファイバ伝送路１０８１により構成される。光無線変換機１０２１は、送信アンテナ１０３１および受信アンテナ１０３２により構成されるアンテナ部１０４１と、キャンセル回路１０５１および１０５２により構成される双方向キャンセル回路１０６１と、光無線変換部１０７１により構成される。光無線変換機１０２２は、送信アンテナ１０３３および受信アンテナ１０３４により構成されるアンテナ部１０４２と、光無線変換部１０７２により構成される。
【００５２】
このとき、無線端末１０１１は光無線変換機１０２１のアンテナ部１０４１と無線接続され、光無線変換機１０２１は光無線変換部１０７１から光ファイバ伝送路１０８１を介して光無線変換部１０７２により光無線変換機１０２２に接続され、光無線変換機１０２２のアンテナ部１０４２は無線端末１０１２と無線接続される。
【００５３】
双方向キャンセル回路１０６１は、光無線変換機１０２１内部においてアンテナ部１０４１と光無線変換部１０７１に接続される。双方向キャンセル回路を構成するキャンセル回路１０５１、１０５２は、例えば図６または図７のような構成とすることが可能である。
【００５４】
図１１は、図１０に示す通信ネットワークにおける信号の伝搬および伝送について示したものである。
図１１においては、無線端末１０１１から送信された無線信号１１１１は、受信アンテナ１０３２により受信され、光無線変換部１０７１により光ファイバ無線信号１１１２となって光ファイバ伝送路１０８１内を伝送される。光ファイバ無線信号１１１２は、光無線変換部１０７２により無線信号１１１３となって送信アンテナ１０３３より無線端末１０１２へ送信されるが、無線信号１１１３は受信アンテナ１０３４により受信され、光無線変換部１０７２により回り込み光ファイバ無線信号１１１４となって光ファイバ伝送路１０８１内を伝送される。回り込み光ファイバ無線信号１１１４は光無線変換部１０７１により回り込み無線信号１１１５となってキャンセル回路１０５２へ伝搬され、回り込み無線信号１１１５は、図６または図７のような構成により、無線信号１１１１を用いて除去される。無線端末１０１２から送信された無線信号１１２１は、受信アンテナ１０３４により受信され、光無線変換部１０７２により光ファイバ無線信号１１２２となって光ファイバ伝送路１０８１内を伝送される。光ファイバ無線信号１１２２は、光無線変換部１０７１により無線信号１１２３となって送信アンテナ１０３１より無線端末１０１１へ送信されるが、無線信号１１２３は受信アンテナ１０３２により受信され、回り込み無線信号１１２４となってキャンセル回路１０５１へ伝搬される。このとき、回り込み無線信号１１２４は、図６または図７のような構成により、無線信号１１２３を用いて除去される。
【００５５】
ここで、キャンセル回路１０５１での遅延量及び減衰量は、光無線変換機１０２１の設計や特性に従って定めることができる。キャンセル回路１０５２での遅延量及び減衰量は、光ファイバ伝送路１０８１及び光ファイバ伝送路１０８１で接続されている光無線変換機の設計及び特性に従って定めることができる。
【００５６】
このような、図１０に示す通信ネットワークによって、図５に示す通信ネットワークと同等の不要な無線信号の除去を行いつつ、キャンセル回路を一方の光無線変換機に集約することが可能となる。この構成は、一方の光無線変換機が遠隔地に配置される場合など、一方の光無線変換機の構成を可能な限り簡易にすることが求められる場合について特に有効である。
【００５７】
（第三の実施形態）
図１２は、本開示における通信ネットワークの第三の例を示す図である。
図１２に示す通信ネットワークは、無線端末１２１１、１２１２と、光無線変換機１２２１、１２２２と、光ファイバ伝送路１２６１、１２６２と、回り込み信号除去機１２９１により構成される。光無線変換機１２２１は、送信アンテナ１２３１および受信アンテナ１２３２により構成されるアンテナ部１２４１と、光無線変換部１２５１により構成される。光無線変換機１２２２は、送信アンテナ１２３３および受信アンテナ１２３４により構成されるアンテナ部１２４２と、光無線変換部１２５２により構成される。回り込み信号除去機は、光無線変換部１２７１、１２７２と、双方向キャンセル回路１２８１により構成される。双方向キャンセル回路１２８１は、本開示に係る双方向回り込み信号抑圧回路として機能し、図１０に示す双方向キャンセル回路１０６１と同じ構成である。ただし、双方向キャンセル回路１２８１での遅延量及び減衰量は、光ファイバ伝送路１２６１、１２６２及び光無線変換機１２２１、１２２２の設計及び特性に従って定めることができる。
【００５８】
このとき、無線端末１２１１は光無線変換機１２２１のアンテナ部１２４１と無線接続され、光無線変換機１２２１は光無線変換部１２５１から光ファイバ伝送路１２６１を介して光無線変換部１２７１により回り込み信号除去機１２９１に接続され、回り込み信号除去機１２９１は光無線変換部１２７２から光ファイバ伝送路１２６２を介して光無線変換部１２５２により光無線変換機１２２２に接続され、光無線変換機１２２２のアンテナ部１２４２は無線端末１２１２と無線接続される。
【００５９】
光無線変換部１２７１、１２７２は、例えば、第１の信号変換部、第２の信号変換部として機能する。この場合、光ファイバ伝送路１２６１、１２６２は、第１の光ファイバ、第２の光ファイバとして機能する。
【００６０】
光無線変換部１２７１は、光ファイバ伝送路１２６１で伝送された光ファイバ無線信号を無線信号に変換する。光無線変換部１２７２は、光無線変換部１２７１で変換された無線信号を光ファイバ無線信号に変換して光ファイバ伝送路１２６２に出力する。回り込み信号除去機１２９１は、光無線変換部１２７１で変換された無線信号を分岐し、分岐した無線信号を用いて、当該無線信号が光ファイバ伝送路１２６２に接続されている光無線変換機１２２２に備わるアンテナ部１２４２で受信された第１の回り込み光ファイバ無線信号を抑圧する第３の抑圧信号を生成する。そして、第１の回り込み光ファイバ無線信号が光無線変換部１２７２で無線信号に変換されたとき、回り込み信号除去機１２９１は、第１の回り込み光ファイバ無線信号に第３の抑圧信号を合成する。
【００６１】
光無線変換部１２７２は、光ファイバ伝送路１２６２で伝送された光ファイバ無線信号を無線信号に変換する。光無線変換部１２７１は、光無線変換部１２７２で変換された無線信号を光ファイバ無線信号に変換して光ファイバ伝送路１２６１に出力する。回り込み信号除去機１２９１は、光無線変換部１２７２で変換された無線信号を分岐し、分岐した無線信号を用いて、当該無線信号が光ファイバ伝送路１２６１に接続されている光無線変換機１２２１に備わるアンテナ部１２４１で受信された第２の回り込み光ファイバ無線信号を抑圧する第４の抑圧信号を生成する。そして、第２の回り込み光ファイバ無線信号が光無線変換部１２７１で無線信号に変換されたとき、回り込み信号除去機１２９１は、第２の回り込み光ファイバ無線信号に第４の抑圧信号を合成する。
【００６２】
このような、図１２に示す通信ネットワークによって、図１０に示す通信ネットワークと同様に、回り込み信号除去機１２９１により不要な無線信号の除去を行いつつ、キャンセル回路を光ファイバ伝送路上の回り込み信号除去機に集約することが可能となる。この構成は、双方の光無線変換機が遠隔地に配置される場合など、双方の光無線変換機の構成を可能な限り簡易にすることが求められる場合について特に有効である。
【００６３】
（第四の実施形態）
図１３は、本開示における通信ネットワークの第四の例を示す図である。
図１３に示す通信ネットワークは、複数の無線端末１３１１、１３１２−１、１３１２−２ないし１３１２−ｎと、複数の光無線変換機１３２１、１３２２−１、１３２２−２ないし１３２２−ｎと、分岐型光ファイバ伝送路１３３１により構成される。光無線変換機１３２１は、図５に示す通信ネットワークにおける光無線変換機５２１と同等の構成である。複数の光無線変換機１３１２−１、１３１２−２ないし１３１２−ｎは、図５に示す通信ネットワークにおける光無線変換機５２２と同等の構成である。分岐型光ファイバ伝送路１３３１は、光伝送路中に設置された光スプリッタ１３４１によって複数の光無線変換機１３１２−１、１３１２−２ないし１３１２−ｎに接続できるよう、分岐される構成である。
【００６４】
このとき、複数の光無線変換機１３２１、１３２２−１、１３２２−２、１３２２−ｎは、図８に示すような、回り込み無線信号を受信アンテナで受信した直後にキャンセル回路で除去する構成とすることで、無線信号を元に回り込み無線信号の除去が可能となる。
【００６５】
このような、図１３に示す通信ネットワークによって、図５に示す通信ネットワークと同等の不要な無線信号の除去を行いつつ、１対多の無線端末同士の通信を確立することが可能となる。この構成は、一方の無線端末が複数の無線端末との通信を行う必要がある場合について特に有効である。
【００６６】
（第五の実施形態）
図１４は、本開示における通信ネットワークの第五の例を示す図である。
図１４に示す通信ネットワークは、複数の無線端末１４１１、１４１２−１、１４１２−２ないし１４１２−ｎと、複数の光無線変換機１４２１、１４２２−１、１４２２−２ないし１４２２−ｎと、分岐型光ファイバ伝送路１４５１により構成される。光無線変換機１４２１は、図１０に示す通信ネットワークにおける光無線変換機１０２１と同等の構成である。複数の光無線変換機１４１２−１、１４１２−２ないし１４１２−ｎは、図１０に示す通信ネットワークにおける光無線変換機１０２２と同等の構成である。分岐型光ファイバ伝送路１４５１は、光伝送路中に設置された光スプリッタ１４６１によって複数の光無線変換機１４１２−１、１４１２−２ないし１４１２−ｎに接続できるよう、分岐される構成である。
【００６７】
光無線変換機１４２１から分岐型光ファイバ伝送路１４５１に出力された光ファイバ無線信号は、光スプリッタ１４６１によって光無線変換機１４２２−１、１４２２−２、１４２２−ｎの全てに伝送される。この場合、光無線変換機１４２２−１、１４２２−２、１４２２−ｎの全てにおいて回り込み光ファイバ無線信号が発生する。
【００６８】
このとき、光無線変換機１４２１内の双方向キャンセル回路１４４１を構成するキャンセル回路１４３１、１４３２のうち、キャンセル回路１４３２は、図７に示すような、複数の遅延器および減衰器を備える構成とすることで、複数の光無線変換機１４２２−１、１４２２−２ないし１４２２−ｎより送信される複数の回り込み光ファイバ無線信号を個別に除去することが可能となる。
【００６９】
このような、図１４に示す通信ネットワークによって、図１０に示す通信ネットワークと同等の不要な無線信号の除去を行いつつ、１対多の無線端末同士の通信を確立することが可能となる。この構成は、一方の無線端末が複数の無線端末との通信を行う必要がある場合かつ、複数の光無線変換機の構成を可能な限り簡易にすることが求められる場合について特に有効である。
【００７０】
（第六の実施形態）
図１５は、本開示における通信ネットワークの第六の例を示す図である。
図１５に示す通信ネットワークは、図１４に示す通信ネットワークにおける双方向キャンセル回路１４４１を、図１２に示す通信ネットワークのように回り込み信号除去機として光ファイバ伝送路中に配置した構成である。具体的には、図１４に示す光無線変換機１４２１に代えて光無線変換機１５２１が備わり、光スプリッタ１４６１と光無線変換機１５２１の間に光ファイバ伝送路１４５１、回り込み信号除去機１５９１及び光ファイバ伝送路１５５２が順に備わり、回り込み信号除去機１５９１に双方向キャンセル回路１４４１が備わる。光無線変換機１５２１は図１２に示す光無線変換機１２２１と同等の構成である。
【００７１】
このような、図１５に示す通信ネットワークによって、図１４に示す通信ネットワークと同等の不要な無線信号の除去を行いつつ、１対多の無線端末同士の通信を確立することが可能となる。この構成は、一方の無線端末が複数の無線端末との通信を行う必要がある場合かつ、全ての光無線変換機の構成を可能な限り簡易にすることが求められる場合について特に有効である。
【００７２】
（第七の実施形態）
図１６は、本開示における通信ネットワークの第七の例を示す図である。
図１６に示す通信ネットワークは、図１３に示す通信ネットワークにおける１対多の構成を、多対多の構成に拡張したものである。具体的には、図１３に示す無線端末１３１１に代えて無線端末１６１１−１、１６１１−２ないし１６１１−ｍが備わり、図１３に示す光無線変換機１３２１に代えて光無線変換機１６２１−１、１６２１−２ないし１６２１−ｍが備わり、光スプリッタ１６４２によって光無線変換機１６２１−１、１６２１−２ないし１６２１−ｍが分岐型光ファイバ伝送路１３３１に接続される。
【００７３】
光無線変換機１６２１−１、１６２１−２ないし１６２１−ｍから分岐型光ファイバ伝送路１３３１に出力された光ファイバ無線信号は、光無線変換機１３２２−１、１３２２−２、１３２２−ｎの全てにおいて回り込み光ファイバ無線信号が発生する。そこで、光無線変換機１６２１−１、１６２１−２ないし１６２１−ｍに備わるキャンセル回路は、図７に示すような、ｎ個の遅延器および減衰器を備える構成とする。これにより、図９に示すような、複数の光無線変換機１３２２−１、１３２２−２、１３２２−ｎより送信される複数の回り込み光ファイバ無線信号を個別に除去することが可能となる。
【００７４】
光無線変換機１３２２−１、１３２２−２ないし１３２２−ｎから分岐型光ファイバ伝送路１３３１に出力された光ファイバ無線信号は、光無線変換機１６２１−１、１６２１−２ないし１６２１−ｍの全てにおいて回り込み光ファイバ無線信号が発生する。そこで、光無線変換機１３２２−１、１３２２−２ないし１３２２−ｎに備わるキャンセル回路は、図７に示すような、ｍ個の遅延器および減衰器を備える構成とする。これにより、図９に示すような、複数の光無線変換機１６２１−１、１６２１−２ないし１６２１−ｍより送信される複数の回り込み光ファイバ無線信号を個別に除去することが可能となる。
【００７５】
このような、図１６に示す通信ネットワークによって、図１３に示す通信ネットワークと同等の不要な無線信号の除去を行いつつ、多対多の無線端末同士の通信を確立することが可能となる。この構成は、複数の無線端末が複数の無線端末との通信を行う必要がある場合について特に有効である。
【００７６】
（第八の実施形態）
図１７は、本開示における通信ネットワークの第八の例を示す図である。
図１７に示す通信ネットワークは、図１４に示す通信ネットワークにおける１対多の構成を、多対多の構成に拡張したものである。具体的には、図１４に示す無線端末１４１１に代えて無線端末１７１１−１、１７１１−２ないし１７１１−ｍが備わり、図１４に示す光無線変換機１４２１に代えて光無線変換機１７２１−１、１７２１−２ないし１７２１−ｍが備わり、光スプリッタ１７６２によって光無線変換機１７２１−１、１７２１−２ないし１７２１−ｍが分岐型光ファイバ伝送路１４５１に接続される。
【００７７】
このような、図１７に示す通信ネットワークによって、図１４に示す通信ネットワークと同等の不要な無線信号の除去を行いつつ、多対多の無線端末同士の通信を確立することが可能となる。この構成は、複数の無線端末が複数の無線端末との通信を行う必要がある場合かつ、複数の光無線変換機の構成を可能な限り簡易にすることが求められる場合について特に有効である。
【００７８】
（第九の実施形態）
図１８は、本開示における通信ネットワークの第九の例を示す図である。
図１８に示す通信ネットワークは、図１５に示す通信ネットワークにおける１対多の構成を、多対多の構成に拡張したものである。具体的には、図１５に示す無線端末１４１１に代えて無線端末１８１１−１、１８１１−２ないし１８１１−ｍが備わり、図１５に示す光無線変換機１５２１に代えて光無線変換機１８２１−１、１８２１−２ないし１８２１−ｍが備わり、光スプリッタ１８６２によって光無線変換機１８２１−１、１８２１−２ないし１８２１−ｍが光ファイバ伝送路１５５２に接続される。
【００７９】
光無線変換部１２７１から分岐型光ファイバ伝送路１５５２に出力された光ファイバ無線信号は、光スプリッタ１８６２によって光無線変換機１８２１−１、１８２１−２ないし１８２１−ｍの全てに伝送される。この場合、光無線変換機１８２１−１、１８２１−２ないし１８２１−ｍの全てにおいて回り込み光ファイバ無線信号が発生する。そこで、キャンセル回路１４４１は、図７に示すような、ｍ個の遅延器および減衰器を備える構成とする。
【００８０】
光無線変換部１２７２から分岐型光ファイバ伝送路１５５１に出力された光ファイバ無線信号は、光スプリッタ１４６１によって光無線変換機１４２２−１、１４２２−２ないし１４２２−ｎの全てに伝送される。この場合、光無線変換機１４２２−１、１４２２−２ないし１４２２−ｎの全てにおいて回り込み光ファイバ無線信号が発生する。そこで、キャンセル回路１４４２は、図７に示すような、ｎ個の遅延器および減衰器を備える構成とする。
【００８１】
このような、図１８に示す通信ネットワークによって、図１５に示す通信ネットワークと同等の不要な無線信号の除去を行いつつ、多対多の無線端末同士の通信を確立することが可能となる。この構成は、複数の無線端末が複数の無線端末との通信を行う必要がある場合かつ、全ての光無線変換機の構成を可能な限り簡易にすることが求められる場合について特に有効である。
【産業上の利用可能性】
【００８２】
本開示は情報通信産業に適用することができる。
【符号の説明】
【００８３】
１１１、１１２、２１１、２１２、３１１、３１２、５１１、５１２、１０１１、１０１２、１２１１、１２１２、１３１１、１３１２−１、１３１２−２、１３１２−ｎ、１４１１、１４１２−１、１４１２−２、１４１２−ｎ、１６１１−１、１６１１−２、１６１１−ｍ、１７１１−１、１７１１−２、１７１１−ｍ、１８１１−１、１８１１−２、１８１１−ｍ：無線端末
１２１、１２２：無線親機
１４１、１４２、２４１、２４２、２４３：伝送機能部
１５１：中継ネットワーク
２２１、２２２、２２３：無線中継機
３２１、３２２、５２１、５２２、１０２１、１０２２、１２２１、１２２２、１３２１、１３２２−１、１３２２−２、１３２２−ｎ、１４２１、１４２２−１、１４２２−２、１４２２−ｎ、１５２１、１６２１−１、１６２１−２、１６２１−ｍ、１７２１−１、１７２１−２、１７２１−ｍ、１８２１−１、１８２１−２、１８２１−ｍ：光無線変換機
１２９１、１５９１：回り込み信号除去機
１３１、１３２、３１、２３２、２３３、２３４、２３５、２３６、３４１、３４２、５４１、５４２、１０４１、１０４２、１２４１、１２４２：アンテナ部
３３１、３３３、５３１、５３３、１０３１、１０３３、１２３１、１２３３：送信アンテナ
３３２、３３４、５３２、５３４、１０３２、１０３４１２３２、１２３４：受信アンテナ
３５１、３５２、５６１、５６２、１０７１、１０７２、１２５１、１２５２、１２７１、１２７２：光無線変換部
５５１、５５２、１０５１、１０５２、１４３１、１４３２：キャンセル回路
１０６１、１２８１、１４４１：双方向キャンセル回路
５７１、１０８１、１２６１、１２６２、１５５２：光ファイバ伝送路
１３３１、１４５１：分岐型光ファイバ伝送路
１３４１、１４６１、１６４２、１７６２、１８６２：光スプリッタ
６１１：分岐器
６２１：遅延器
６３１：減衰器
６４１：合成器
【図１】
2019153945.tif 000003
【図２】
2019153945.tif 000004
【図３】
2019153945.tif 000005
【図４】
2019153945.tif 000006
【図５】
2019153945.tif 000007
【図６】
2019153945.tif 000008
【図７】
2019153945.tif 000009
【図８】
2019153945.tif 000010
【図９】
2019153945.tif 000011
【図１０】
2019153945.tif 000012
【図１１】
2019153945.tif 000013
【図１２】
2019153945.tif 000014
【図１３】
2019153945.tif 000015
【図１４】
2019153945.tif 000016
【図１５】
2019153945.tif 000017
【図１６】
2019153945.tif 000018
【図１７】
2019153945.tif 000019
【図１８】
2019153945.tif 000020